(57)【特許請求の範囲】
【請求項１】
少なくとも上半身が立位の被験者の乳房を撮影するＸ線撮像装置であって、
撮影面に乳房が当接する撮影台と、前記撮影台の被験者側の壁面に設けられて被験者の胸壁が当接する胸壁パッドと、を備え、
前記胸壁パッドは、前記撮影台よりも柔らかく、ＣＣ撮影時では前記撮影面から下方に前記胸壁パッドの上縁部が所定間隔離れていることを特徴とするＸ線撮像装置。
【請求項２】
前記所定間隔が２０〜４０ｍｍの範囲内であることを特徴とする請求項１に記載のＸ線撮像装置。
【請求項３】
前記胸壁パッドが前記壁面に着脱自在に貼り付け可能であることを特徴とする請求項１又は２に記載のＸ線撮像装置。
【請求項４】
前記胸壁パッドの所定貼り付け位置が前記壁面に表示されていることを特徴とする請求項３に記載のＸ線撮像装置。
【請求項５】
ＣＣ撮影時における前記所定貼り付け位置の左右方向中心位置が前記壁面に表示され、
前記左右方向中心位置に位置合わせされる被位置合わせ部が前記胸壁パッドに設けられていることを特徴とする請求項４に記載のＸ線撮像装置。
【請求項６】
前記胸壁パッドの被験者側周縁部は全て半径１ｍｍ以上の丸みを帯びた角部とされていることを特徴とする請求項１〜５のうち何れか１項に記載のＸ線撮像装置。
【請求項７】
前記胸壁パッドの厚みが５ｍｍ以上とされていることを特徴とする請求項１〜６のうち何れか１項に記載のＸ線撮像装置。
【請求項８】
少なくとも上半身が立位の被験者の乳房を撮影するＸ線撮像装置であって、
撮影面に乳房が当接する撮影台を備え、
前記撮影台の被験者側の壁面には、ＣＣ撮影時では前記撮影面から下方に胸壁パッドの上縁部が所定間隔離れるように、被験者の胸壁が当接する前記胸壁パッドの所定貼り付け位置が表示されていることを特徴とするＸ線撮像装置。
【請求項９】
前記所定間隔が２０〜４０ｍｍの範囲内であることを特徴とする請求項８に記載のＸ線撮像装置。
【請求項１０】
前記胸壁パッドが前記壁面に着脱自在に貼り付け可能であることを特徴とする請求項８又は９に記載のＸ線撮像装置。
【請求項１１】
ＣＣ撮影時における前記所定貼り付け位置の左右方向中心位置が表示された前記壁面に、前記胸壁パッドに設けられた被位置合わせ部を前記左右方向中心位置に位置合わせて前記胸壁パッドが貼り付けられていることを特徴とする請求項８〜１０のうち何れか１項に記載のＸ線撮像装置。
【請求項１２】
前記胸壁パッドの被験者側周縁部は全て半径１ｍｍ以上の丸みを帯びた角部とされていることを特徴とする請求項１１に記載のＸ線撮像装置。
【請求項１３】
前記胸壁パッドの厚みが５ｍｍ以上とされていることを特徴とする請求項１１又は１２に記載のＸ線撮像装置。
【請求項１４】
少なくとも上半身が立位の被験者の乳房が当接する撮影面が形成された撮影台を備えたＸ線撮像装置を用いてＣＣ撮影を行うＸ線撮像装置使用方法であって、
前記撮影面から下方に胸壁パッドの上縁部が所定間隔離れた位置に、前記撮影台よりも柔らかくて被験者の胸壁が当接する前記胸壁パッドを前記撮影台の被験者側の壁面に設けることを特徴とするＸ線撮像装置使用方法。
【請求項１５】
前記所定間隔が２０〜４０ｍｍの範囲内であることを特徴とする請求項１４に記載のＸ線撮像装置使用方法。
【請求項１６】
前記胸壁パッドが前記壁面に着脱自在に貼り付け可能であることを特徴とする請求項１４又は１５に記載のＸ線撮像装置使用方法。
【請求項１７】
前記胸壁パッドの所定貼り付け位置が前記壁面に表示されていることを特徴とする請求項１６に記載のＸ線撮像装置使用方法。
【請求項１８】
ＣＣ撮影時における前記所定貼り付け位置の左右方向中心位置が表示された前記壁面に、前記胸壁パッドに設けられた被位置合わせ部を前記左右方向中心位置に位置合わせて前記胸壁パッドを貼り付けて設けることを特徴とする請求項１７に記載のＸ線撮像装置使用方法。
【請求項１９】
前記胸壁パッドの被験者側周縁部は全て半径１ｍｍ以上の丸みを帯びた角部とされていることを特徴とする請求項１８に記載のＸ線撮像装置使用方法。
【請求項２０】
前記胸壁パッドの厚みが５ｍｍ以上とされていることを特徴とする請求項１８又は１９に記載のＸ線撮像装置使用方法。
【発明の詳細な説明】
【技術分野】
【０００１】
本発明は、医療用のＸ線撮像装置及びＸ線撮像装置使用方法に関する。
【背景技術】
【０００２】
現在の医療機器業界は、様々な社会背景により、競合の参入が激しく様々な機器が開発されている。こういった医療機器業界の競合の増加や成熟に伴い、従来よりも被験者にとって快適な装置の開発が求められている。 
【０００３】
このような装置の一つとして、乳がんの早期発見などを目的として被験者の乳房を撮像するＸ線撮像装置（マンモグラフィ）が挙げられる。近年、ＣＲによるカセッテを利用したＸ線受像装置から、ＦＰＤを利用した直接デジタル画像を取得するＸ線受像装置が開発され、医療現場の更なる電子化、ネットワーク化だけでなく装置自体の開発自由度が促進されている。このようにＦＰＤでカセッテレスが実現されたことにより、Ｘ線撮像装置では、撮影台の厚みが従来よりも薄くなるなどの技術進歩が見られている。
【０００４】
ところで、マンモグラフィでは、ポジショニングを行う際などに痛みを伴うことにより検診率が伸び悩んでいる。このため、被験者の痛みを低減して快適に受診できるようにすることが求められていた。特に乳がんの手術後の被験者は、健常者よりもセンシティブに痛みを感じるので、この要望が強く出されている。
【０００５】
この対策として、撮影台の被験者側の胸壁にパッド部材（パッド装置）を貼り付けることが提案されている（例えば特許文献１参照）。
【特許文献１】ＵＳ５５４１９７２
【発明の開示】
【発明が解決しようとする課題】
【０００６】
しかし、特許文献１に開示されたＸ線撮像装置では、ポジショニングを行う際に、乳房の付根が撮影台から離れないように乳房よりも下方の胸部分を胸壁パッドに強く押圧すると、胸壁パッドを設けない場合に比べ、被験者が感じる痛みが大きい。このため、胸壁パッドを設けたことによって乳房の付根が撮影台から離れやすくなり、乳房の付根にＸ線が到達しなくて画像に欠損が発生するおそれがあった。マンモグラフィでは、一回の曝射によって乳房の付根まで撮影できることが重要であり、欧州のマンモグラフィの規格であるＥＵＲＥＦやわが国のＪＩＳ規格では胸壁から５ｍｍ以下の撮影領域を確保することを厳密に定義していることからもこの重要性がうかがえる。
【０００７】
本発明は、上記事実を考慮して、ポジショニングを行う際の被験者の痛みを抑えて乳房を付根まで撮影することができるＸ線撮像装置及びＸ線撮像装置使用方法を提供することを課題とする。
【課題を解決するための手段】
【０００８】
第１態様の発明は、少なくとも上半身が立位の被験者の乳房を撮影するＸ線撮像装置であって、撮影面に乳房が当接する撮影台本体と、前記撮影台本体の被験者側の壁面に設けられて被験者の胸壁が当接する胸壁パッドと、を有する撮影台を備え、前記胸壁パッドは、前記撮影台本体よりも柔らかく、ＣＣ撮影時では前記撮影面から下方にパッド上縁部が所定間隔離れていることを特徴とする。
【０００９】
胸壁パッドは、撮影台と一体的であってもよいし、撮影台とは別体であってもよい。
【００１０】
第１態様の発明では、このように、撮影台は被験者側の壁面に胸壁パッドを有する。この胸壁パッドは、ＣＣ（Ｃｒａｎｉｏ＆＃８７２２；Ｃａｕｄａｌ）撮影時では、撮影面から下方にパッド上縁部が所定間隔離れた位置に配置されている。従って、ポジショニングを行う際に、被験者が乳房の付根まで撮影面上に位置させても被験者の痛みはさほど増大しない。これにより、撮影によって乳房の付根まで良好な画像が得られる。
【００１１】
また、被験者の姿勢の再現性が良い。従って、撮影後、数日、数ヶ月、更には数年経過した後に同一被験者を再度撮影する際、被験者が同じ姿勢でポジショニングを行うことができる。
【００１２】
また、この胸壁パッドは、撮影台よりも柔らかい。従って、乳房よりも下方の胸部分が、撮影台に直接に当接せずに胸壁パッドに当接することによって、被験者はより快適さを感じる。また、胸壁パッドが撮影台よりも柔らかいので、胸壁パッドの材質は樹脂製であることが多く金属製ではない。従って、乳房よりも下方の胸部分が胸壁パッドに当接した際、被験者は冷たさを感じなくて済む。
【００１３】
なお、被験者の皮膚が胸壁パッドの表面に当接することを考慮すると、胸壁パッドの材質は、皮脂の付着が少なく、皮膚を引っ張る感触を被験者が受け難く、しかも、抗菌性を有する材質であることが好ましい。
【００１４】
第２態様の発明は、前記所定間隔が２０〜４０ｍｍの範囲内であることを特徴とする。２０ｍｍよりも短いと、ポジショニングを行う際、乳房の付根まで撮影面上に位置させることが難しくなる。また４０ｍｍよりも長いと、乳房よりも下方の胸部分が撮影台に当接し易くなり、腹部の痛みが伴い易い。
【００１５】
第３態様の発明は、前記胸壁パッドが前記壁面に着脱自在に貼り付け可能であることを特徴とする。第３態様の発明では、胸壁パッドが必要なときのみ胸壁パッドを容易に設けることができる。
【００１６】
第４態様の発明は、前記胸壁パッドの所定貼り付け位置が前記壁面に表示されていることを特徴とする。第４態様の発明では、胸壁パッドを所定位置に短時間で貼り付けることができる。また、貼り付け位置の再現性が良い。
【００１７】
第５態様の発明は、ＣＣ撮影時における前記所定貼り付け位置の左右方向中心位置が前記壁面に表示され、前記左右方向中心位置に位置合わせされる被位置合わせ部が前記胸壁パッドに設けられていることを特徴とする。
【００１８】
第５態様の発明では、胸壁パッドに設けられた被位置合わせ部を上記壁面の左右方向中心位置に位置合わせすることによって、胸壁パッドを所定貼り付け位置に短時間で貼り付けることができる。
【００１９】
第６態様の発明は、前記胸壁パッドの被験者側周縁部は全て半径１ｍｍ以上の丸みを帯びた角部とされていることを特徴とする。
【００２０】
第６態様の発明では、胸壁パッドの被験者側周縁部が充分に丸みを帯びているので、乳房よりも下方の胸部分が胸壁パッドに当接した際、胸壁パッドの被験者側周縁部によって被験者が痛みを感じることが回避される。
【００２１】
第７態様の発明は、前記胸壁パッドの厚みが５ｍｍ以上とされていることを特徴とする。５ｍｍよりも薄いと胸壁パッドとしての効果を発揮し難い。なお、厚いほど柔らかくして、すなわち弾性係数を小さくして、被験者の乳房よりも下方の胸部分が胸壁パッドに当接した際に薄厚になるようにすることが好ましい。
【００２２】
第８態様の発明は、少なくとも上半身が立位の被験者の乳房を撮影するＸ線撮像装置であって、撮影面に乳房が当接する撮影台を備え、前記撮影台の被験者側の壁面には、ＣＣ撮影時では前記撮影面から下方にパッド上縁部が所定間隔離れるように、被験者の胸壁が当接する胸壁パッドの所定貼り付け位置が表示されていることを特徴とする。
【００２３】
第８態様の発明では、撮影台の被験者側の壁面に胸壁パッドの所定貼り付け位置がマーキング等により表示されている。従って、撮影台が胸壁パッドを備えていなくても、この所定貼り付け位置に胸壁パッドを再現良く貼付けることができ、第１、第３、第４態様と同様の効果を奏することができる。
【００２４】
第９態様の発明は、少なくとも上半身が立位の被験者の乳房が当接する撮影面が形成された撮影台を備えたＸ線撮像装置を用いてＣＣ撮影を行うＸ線撮像装置使用方法であって、前記撮影面から下方に所定間隔離れた位置に、前記撮影台よりも柔らかくて被験者の胸壁が当接する胸壁パッドを前記撮影台の被験者側の壁面に設けることを特徴とする。
【００２５】
第９態様の発明では、このように、ＣＣ撮影を行う際、撮影面から下方に所定間隔離れた位置に胸壁パッドを設ける。従って、被験者の乳房の付根まで撮影面上に位置させることができるので、撮影によって乳房の付根まで撮影して画像を得ることができる。
【００２６】
また、撮影台よりも柔らかい胸壁パッドを設ける。従って、乳房よりも下方の胸部分が、撮影台に直接に当接せずに胸壁パッドに当接することによって、被験者はより快適さを感じることができる。また、胸壁パッドが撮影台よりも柔らかいので、胸壁パッドの材質は樹脂製であることが多く金属製ではない。従って、乳房よりも下方の胸部分が胸壁パッドに当接した際、被験者は冷たさを感じなくて済む。
【発明の効果】
【００２７】
本発明によれば、ポジショニングを行う際の被験者の痛みを抑えて乳房を付根まで撮影することができるＸ線撮像装置及びＸ線撮像装置使用方法とすることができる。
【発明を実施するための最良の形態】
【００２８】
以下、実施形態を挙げ、本発明の実施の形態について説明する。図１は、本発明の一実施形態に係るＸ線撮像装置（マンモグラフィ）１０の斜視図である。Ｘ線撮像装置１０は、立位状態の被験者の乳房をＸ線で撮影する装置であり、ＣＣ（頭尾方向）撮影とＭＬＯ（内外斜位方向。Ｍｅｄｉａｌ−Ｌａｔｅｒａｌ−Ｏｂｌｉｑｕｅ）撮影との両者を行うことができる装置である。図２は、Ｘ線撮像装置１０を構成する撮影台の正面図である。図３は、Ｘ線撮像装置１０を構成する撮影台の主要部を示す斜視図である。図４は、Ｘ線撮像装置１０で乳房を薄厚にしてＸ線撮影することを説明する側面図である。
【００２９】
Ｘ線撮像装置１０は、装置正面側に設けられた側面視略Ｃ字状（コの字状）の測定部１２と、測定部１２を背後から支える基台部１４と、を備えている。測定部１２には、背面側に延び出して基台部１４に回動可能に支えられている回動軸１６が設けられており、回動軸１６が基台部１４に支えられることによって測定部１２が基台部１４に回動可能に支えられている。
【００３０】
測定部１２は、立位の被験者（患者）の乳房Ｎ（図４参照）に当接する平面状の撮影面２０が形成された撮影台２２と、Ｘ線管球（図示せず）が設けられて撮影面２０に向けて検査用のＸ線を照射する放射線照射部２４と、乳房Ｎを撮影面２０に押し付ける押圧板２６と、撮影台２２と放射線照射部２４と押圧板２６とを保持する保持部２８と、を備えている。保持部２８は、撮影面２０と放射線照射部２４とが所定間隔離れるように撮影台２２と放射線照射部２４とを保持するとともに、押圧板２６と撮影面２０との間隔が可変であるように押圧板２６をスライド移動可能に保持している。
【００３１】
撮影台２２には、正面側に形成されていて、ＣＣ撮影時には被験者Ｗ（図４参照）の乳房Ｎよりも下方の胸部分ＢＬを当接させる胸壁パッド３０が、撮影台２２の被験者側の壁面２３に着脱自在に貼り付けられている（図１〜図４参照）。胸壁パッド３０の正面側は平面状とされている。
【００３２】
胸壁パッド３０は、被験者側から見て細長の長方形状である。ＣＣ撮影時では胸壁パッド３０の上縁部３０Ｕが撮影面２０から下方に距離Ｌだけ離れた位置となるように、胸壁パッド３０が壁面２３に貼り付けられており、撮影面２０の被験者側のエッジ部２２Ｅが露出している。本実施形態では、距離Ｌは２０〜４０ｍｍの範囲内とされている。また、エッジ部２２Ｅは半径５〜１０ｍｍの丸みを帯びた角部とされている。
【００３３】
壁面２３には、胸壁パッド３０の被貼付位置を示す左側マークＭＬ、中央マークＭＣ、及び、右側マークＭＲが、撮影面２０と平行な一直線上に印字されている。また、胸壁パッド３０には、長手方向中央位置に中心マークＭＰが表示されている。胸壁パッド３０の上縁部３０Ｕが左側マークＭＬ、中央マークＭＣ、及び、右側マークＭＲ上に位置するように、胸壁パッド３０は壁面２３の所定位置に貼り付けられている。そして、中央マークＭＣの真下に中心マークＭＰが位置している。
【００３４】
また、胸壁パッド３０の被験者側周縁部３０Ｅは全て半径１ｍｍ以上の丸みを帯びた角部とされている。そして、胸壁パッド３０の厚みは５ｍｍ以上とされている。
【００３５】
胸壁パッド３０の材質は、撮影台２２よりも柔らかい。被験者の皮膚が胸壁パッド３０の表面に当接することを考慮すると、胸壁パッド３０の材質は、皮脂の付着が少なく、皮膚を引っ張る感触を被験者が受け難く、しかも、抗菌性を有する材質であることが好ましい。胸壁パッド３０の材質は、例えば、被験者の腹部が横滑りしても摩擦が少ないスポンジ状の発泡素材である。この発泡素材としては、エラストマー系のゴム材であってもよいが、発泡ウレタンが好ましい。
【００３６】
また、撮影台２２の内部には、撮影面２０を通過した放射線が照射される放射線検出器（図示せず）が配置されている。
【００３７】
更に、図１、図２に示すように、撮影台２２には、ＣＣ撮影時に被験者Ｗが両手でそれぞれ把持する一対のハンドル４０が、撮影面２０の放射線照射部側に一体的に形成されている。ハンドル４０を構成し被験者Ｗによって握られる握り部４２は、撮影面２０の法線に対し被験者側とは反対側（すなわち被験者にとって奥側）に傾斜した略直棒状とされ、撮影面２０に近づくに従い、被験者Ｗの側に徐々に近くなっている、すなわち胸壁パッド３０に徐々に近くなっている。従って、ＣＣ撮影時では、一対のハンドル４０の配置高さが撮影面２０よりも高く、しかも一対のハンドル４０は上部から下部にかけて被験者Ｗに徐々に近くなるように傾斜している。なお、このハンドル４０は軟部材で構成されている。
【００３８】
図２に示すように、この一対のハンドル４０は、撮影面２０から遠ざかるに従い、撮影面２０の内側に向けて、すなわち、正面側（被験者側）に延びる撮影面中心線を含み撮影面２０に直交する平面Ｍ（以下、撮影中心平面Ｍという）に向けて、徐々に曲がっている。また、ハンドル４０は、撮影面２０の内側に凹となるようにやや湾曲している。本実施形態では、ハンドル４０の撮影中心平面Ｍに対する傾斜角度δ（すなわち握り部４２の撮影中心平面Ｍに対する傾斜角度δ）は０〜２０°の範囲内とされている。
【００３９】
（作用、効果）
以下、本実施形態の作用、効果について添付図を用いて説明する。Ｘ線撮像装置１０を使用するには、撮影台２２の位置をＣＣ撮影を行う位置にし、撮影台２２の壁面２３に胸壁パッド３０を両面テープなどで簡易に着脱自在なように貼り付ける。その際、胸壁パッド３０の上縁部３０Ｕが左側マークＭＬ、中央マークＭＣ、及び、右側マークＭＲ上に位置するとともに、中央マークＭＣの真下に中心マークＭＰが位置するように貼り付ける。左側マークＭＬ、中央マークＭＣ、及び、右側マークＭＲに上縁部３０Ｕを合わせることによって胸壁パッド３０は正確な平行度で貼り付けられる。また、中央マークＭＣの真下に中心マークＭＰが位置するように貼り付けることによって左右方向位置（壁面２３の長手方向位置）の正確さも確保される。従って、胸壁パッド３０が、撮影技師によって所定の正確な貼り付け位置に短時間で容易に再現性良く貼り付けられる。なお、中心マークＭＰに代えて、上縁部３０Ｕに凸部や凹部などのガイド部（目印）を形成してもよい。
【００４０】
以上説明したように、本実施形態では、撮影台２２の被験者側の壁面２３に胸壁パッド３０が設けられており、この胸壁パッド３０の上縁部３０Ｕが、ＣＣ撮影時では撮影面２０から下方に２０ｍｍ以上離れた位置に配置されている。従って、被験者がポジショニングを行う際、本実施形態では、被験者Ｗの腋窩が撮影台２２の角部に位置している場合に、被験者Ｗの胸部分（胸壁）ＢＬが撮影台２２の正面に胸壁パッド３０を介して密着している状態にすることが可能になる。そして、図４に示すように、被験者Ｗは、乳房Ｎの付根（根元）ＮＪが撮影面２０に当たる感覚を損なわずに付根ＮＪまで撮影面２０上に位置させることができる。
【００４１】
これにより、撮影によって、付根ＮＪに到達するＸ線によって欠損のない画像が得られる。また、距離Ｌが４０ｍｍ以下なので、被験者にとって腹部の痛みが伴い難い。その上、撮影技師が同一被験者を再度撮影する際、毎回、準固定的な腋窩の位置を被験者が撮影台２２の角部にぴったりと合わせることにより、被験者Ｗの姿勢の再現性が良い。従って、撮影後、数日、数ヶ月、更には数年経過した後に同一被験者を再度撮影する際、被験者Ｗに同じ姿勢でポジショニングをとらせることができる。
【００４２】
なお、中央マークＭＣの真下に中心マークＭＰが位置するように胸壁パッド３０を貼り付けることによって、壁面２３の長手方向に対する胸壁パッド３０の位置の再現性も良い。このことは、上記効果を奏する上で更に好ましい。
【００４３】
また、この胸壁パッド３０は、撮影台２２よりも柔らかい。従って、乳房Ｎよりも下方の胸部分ＢＬが、撮影台２２に直接に当接せずに胸壁パッド３０に当接することによって、被験者Ｗはより快適さを感じる。また、胸壁パッド３０の材質を発泡素材などの樹脂製とすることで、乳房Ｎよりも下方の胸部分ＢＬが胸壁パッド３０に当接した際、被験者Ｗは冷たさを感じなくて済む。
【００４４】
また、胸壁パッド３０が壁面２３に着脱自在とされている。従って、胸壁パッド３０が必要なときのみ胸壁パッド３０を容易に撮影台２２に貼り付けることができる。
【００４５】
また、胸壁パッド３０の被験者側周縁部３０Ｅが半径１ｍｍ以上の丸みを帯びているので、乳房Ｎよりも下方の胸部分ＢＬが胸壁パッド３０に当接した際、胸壁パッド３０の被験者側周縁部３０Ｅによって被験者が痛みを感じることが回避される。
【００４６】
更に、胸壁パッド３０の厚みが５ｍｍ以上とされているので、胸壁パッド３０としての効果が充分に発揮される。
【００４７】
＜試験例＞
本発明の効果を確かめるために、本発明者は、上記実施形態のＸ線撮像装置１０の一例（以下、実施例のＸ線撮像装置という）、及び、従来のＸ線撮像装置の二例（以下、従来例１のＸ線撮像装置、従来例２のＸ線撮像装置という。図５、図６参照）を用意し、被験者の乳房をＸ線撮影した。実施例のＸ線撮像装置、従来例１のＸ線撮像装置、従来例２のＸ線撮像装置では、胸壁パッドの寸法は同じであり、胸壁パッドの配置位置が互いに異なっている。
【００４８】
従来例１のＸ線撮像装置では、図５に示すように、胸壁パッド８０の上縁部８０Ｕが撮影面８２から下方に距離Ｄ１＝５ｍｍ離れた位置とされている。また、従来例２のＸ線撮像装置では、図６に示すように、胸壁パッド９０の上縁部９０Ｕが撮影面９２から下方に距離Ｄ２＝６０ｍｍ離れた位置とされている。
【００４９】
実施例のＸ線撮像装置では、被験者Ｗが腹部に痛みを感じることなく、乳房Ｎの付根ＮＪが撮影面２０の上に位置していた。この結果、乳房Ｎの付根まで画像が欠損することなく撮影された。
【００５０】
一方、従来例１のＸ線撮像装置では、図５に示すように、乳房Ｎの付根ＮＪが撮影面８２よりも被験者側に位置していた。このため、付根ＮＪにはＸ線が到達せず、付根ＮＪの画像が欠損していた。また、従来例２のＸ線撮像装置では、図６に示すように、被験者Ｗの腹部が撮影台９４の被験者側の壁面９３に当接していた。このため、被験者Ｗは、腹部に痛みを感じるとともに冷たさを感じた。
【００５１】
以上、実施形態を挙げて本発明の実施の形態を説明したが、上記実施形態は一例であり、要旨を逸脱しない範囲内で種々変更して実施できる。例えば、撮影台２２に胸壁パッド３０が一体的に設けられていてもよい。また、本発明の権利範囲が上記実施形態に限定されないことは言うまでもない。
【図面の簡単な説明】
【００５２】
【図１】本発明の一実施形態に係るＸ線撮像装置の斜視図である。
【図２】本発明の一実施形態に係るＸ線撮像装置を構成する撮影台の正面図である。
【図３】本発明の一実施形態に係るＸ線撮像装置を構成する撮影台の主要部を示す斜視図である。
【図４】本発明の一実施形態に係るＸ線撮像装置で、乳房を薄厚にしてＸ線撮影することを説明する側面図である。
【図５】試験例で用いた従来のＸ線撮像装置の一例で、乳房を薄厚にしてＸ線撮影することを説明する側面図である。
【図６】試験例で用いた従来のＸ線撮像装置の別の一例で、乳房を薄厚にしてＸ線撮影することを説明する側面図である。
【符号の説明】
【００５３】
１０    Ｘ線撮像装置
２０    撮影面
２２    撮影台（撮影台、撮影台本体）
２３    壁面
３０    胸壁パッド
３０Ｅ  被験者側周縁部
３０Ｕ  上縁部（パッド上縁部）
８０    胸壁パッド
８０Ｕ  上縁部（パッド上縁部）
８２    撮影面
９０    胸壁パッド
９０Ｕ  上縁部（パッド上縁部）
９２    撮影面
９３    壁面
９４    撮影台
Ｄ１    距離
Ｄ２    距離
Ｌ      距離（所定間隔）
Ｎ      乳房
Ｗ      被験者
ＭＬ    左側マーク（所定貼り付け位置）
ＭＣ    中央マーク（所定貼り付け位置、左右方向中心位置）
ＭＲ    右側マーク（所定貼り付け位置）
ＭＰ    中心マーク（被位置合わせ部）
【図１】
0005171289.tif 000002
【図２】
0005171289.tif 000003
【図３】
0005171289.tif 000004
【図４】
0005171289.tif 000005
【図５】
0005171289.tif 000006
【図６】
0005171289.tif 000007